(57)【要約】【課題】エスカレータ又は移動歩道のハンドレールに、これの天面及び側面を覆う帯状の連続シートを速やかに、しかも確実に貼着し得る装置を提供する。【解決手段】シート保持ロール４、裏紙巻き取りロール５、押し付けローラ６及びガイド手段７を備える台座３を、支持アーム３０，３０先端の吸盤３１，３１により、エスカレータ又は移動歩道の側板１に固定支持する。シート保持ロール４から引き出した連続シート４ａを押し付けローラ６とハンドレール２の天面との間に挾持し、ハンドレール２の移動により引き出しつつ押し付けて貼着し、更に、押し付けローラ６の下流側に位置するガイド手段７により、連続シート４ａの両側縁を折り曲げつつ案内し、ハンドレール２の側面に貼着する。裏紙巻き取りロール５は、シート保持ロール４からの伝動により回転し、連続シート４ａの引き出しに伴ってこれの貼着面から剥離された裏紙５ａを巻き取る。【選択図】　　　　図１
2004123269.tif 000002
【特許請求の範囲】
【請求項１】
エスカレータ又は移動歩道の側板周縁に沿って移動するハンドレールの表面に帯状の連続シートを、該連続シートの一面の貼着面を介して貼着せしめる装置であって、
前記側板への固定により、前記ハンドレールの天面に対向するように支持される台座上に、
前記連続シートを巻回保持し、軸回りに回転可能に枢支されたシート保持ロールと、
該シート保持ロールから引き出される連続シートを前記ハンドレールの天面との間に挾持し、該ハンドレールの移動に応じて連続的に引き出しつつ前記天面に押し付け、該天面に貼着せしめる押し付け手段と
を備えることを特徴とする連続シート貼着装置。
【請求項２】
前記ハンドレールの天面及び両側面を覆い得る幅を有する連続シートを用いており、
前記押し付け手段に並設され、該押し付け手段により貼着された前記連続シートの両側部を、前記ハンドレールの移動に応じて折り曲げつつ案内し、該ハンドレールの両側面に貼着せしめるガイド手段を備える請求項１記載の連続シート貼着装置。
【請求項３】
前記シート保持ロールと略平行をなす軸回りに回転可能に前記台座に枢支され、前記シート保持ロールから引き出される連続シートの貼着面から剥離された裏紙を巻き取る裏紙巻き取りロールと、
前記連続シートの引き出しに応じた前記シート保持ロールの回転を前記裏紙巻き取りロールに伝動する伝動手段とを備える請求項１又は請求項２記載の連続シート貼着装置。
【請求項４】
前記押し付け手段は、前記ハンドレールの天面に転接し、該天面との間に前記連続シートを挾持するローラを備える請求項１乃至請求項３のいずれかに記載の連続シート貼着装置。
【請求項５】
前記ガイド手段は、前記ハンドレールの両側面に対向配置され、前記両側面に向けて付勢された一対の支持板と、これらの支持板の前記両側面との対向部に、前記ハンドレールの移動方向下流側に向けて該ハンドレールの天面に対する傾倒角度を順次増大させて並設された複数のガイドローラとを備える請求項２乃至請求項４のいずれかに記載の連続シート貼着装置。
【請求項６】
前記連続シートは、表面からの視認可能に形成された文字又は図形パターンを備える請求項１乃至請求項５のいずれかに記載の連続シート貼着装置。
【発明の詳細な説明】
【０００１】
【発明の属する技術分野】
本発明は、エスカレータ又は移動歩道のハンドレールに、表面を保護し、また広告、案内等の表示を行わせるために帯状の連続シートを貼着せしめるべく用いられる連続シート貼着装置に関する。
【０００２】
【従来の技術】
例えば、駅、空港等の公共施設、百貨店、スーパーマーケット等の大型量販店において、利用者の移動手段として広く設置されているエスカレータ又は移動歩道は、幅方向両側の側板の周縁に、これに沿って移動し、手すりとして使用されるハンドレールを備えている。このハンドレールは、表面を樹脂材料のコーティング膜により被覆し、汚れの付着、疵の発生を防止するようにしている。
【０００３】
また近年においては、ハンドレールの天面に、文字又は図形パターンが形成された表示シールを貼り付け、行先表示、各種の広告表示のために利用することが提案されている（例えば、特許文献１、２参照）。
【０００４】
また、ハンドレールの本体天面に各種の表示を行い、樹脂材料のコーティング膜により被覆することも提案されている（例えば、特許文献２参照）。
【０００５】
【特許文献１】
実開昭６１−５９２７４号公報
【特許文献２】
実開昭６３−１６２７７７号公報
【０００６】
【発明が解決しようとする課題】
しかしながら、ハンドレールの天面に貼り付けられた表示シールは、例えば、利用者による把持の繰り返し、駆動用の転動輪との摩擦等の外的要因により剥がれる虞れがあり、美観を損なうと共に、剥がれにより露出した貼着面を把持した利用者に不快感を与えるという問題があった。
【０００７】
この問題は、表示面を樹脂コーティングする構成により解消されるが、この場合、表示内容の変更が困難であり、この変更のために、コーティング設備を備えるメンテナンス工場等へのハンドレールの持ち込み、ハンドレール全体の交換を強いられることとなる。
【０００８】
また以上の問題を解消するため、一面を貼着面とした帯状の連続シートをハンドレールの全長に貼着することが考えられる。このような連続シートは、ハンドレールの天面から両側面に亘って貼着することにより剥がれの発生を有効に防止することができる上、表面保護のためのコーティング膜の代用となり、更には、貼り替えにより表示内容の変更に対応することが可能である。
【０００９】
しかしながら、以上の如き連続シートの貼着作業をエスカレータ又は移動歩道の設置現場において行うには、熟練した作業者によっても多大の手間を要し、剥がし作業を含めた貼り替え作業に、１基当り数時間の作業時間を要することさえあって、頻繁な表示内容の変更要求に応えることは困難であった。
【００１０】
本発明は斯かる事情に鑑みてなされたものであり、エスカレータ又は移動歩道の設置現場に簡易に取り付けて使用することができ、ハンドレールの天面及び両側面に帯状の連続シートを、該ハンドレールの移動を利用して、速やかにしかも確実に貼着することができる連続シート貼着装置を提供することを目的とする。
【００１１】
【課題を解決するための手段】
本発明の第１発明に係る連続シート貼着装置は、エスカレータ又は移動歩道の側板周縁に沿って移動するハンドレールの表面に帯状の連続シートを、該連続シートの一面の貼着面を介して貼着せしめる装置であって、前記側板への固定により、前記ハンドレールの天面に対向するように支持される台座上に、前記連続シートを巻回保持し、軸回りに回転可能に枢支されたシート保持ロールと、該シート保持ロールから引き出される連続シートを前記ハンドレールの天面との間に挾持し、該ハンドレールの移動に応じて連続的に引き出しつつ前記天面に押し付け、該天面に貼着せしめる押し付け手段とを備えることを特徴とする。
【００１２】
本発明においては、シート保持ロール及び押し付け手段を備える台座を、エスカレータ又は移動歩道の側板に固定し、対象となるハンドレールの天面に対向するように支持させ、シート保持ロールから引き出した連続シートの先端を、ハンドレールの天面と押し付け手段との間に挾持せしめた後、エスカレータ又は移動歩道を運転してハンドレールを移動させ、押し付け手段によりハンドレールの天面に連続シートを押し付け、シート保持ロールから連続的に引き出しつつハンドレールの天面に押し付けて貼着せしめる。貼着作業は、ハンドレールの全周に連続して貼着する場合であっても、側板の周縁に沿ってハンドレールが一回転する間に完了し、短時間の作業により連続シートの貼着が可能となる。
【００１３】
本発明の第２発明に係る連続シート貼着装置は、前記ハンドレールの天面及び両側面を覆い得る幅を有する連続シートを用いており、前記押し付け手段に並設され、該押し付け手段により貼着された前記連続シートの両側部を、前記ハンドレールの移動に応じて折り曲げつつ案内し、該ハンドレールの両側面に貼着せしめるガイド手段を備えることを特徴とする。
【００１４】
第２発明においては、ハンドレールの天面及び両側面を覆い得る幅を有する連続シートを用い、幅方向の中央部を押し付け手段によりハンドレールの天面に押し付けて貼着し、余された両側部を、ハンドレールの更なる移動により押し付け手段の下流側に並設されたガイド手段に導き、このガイド手段により徐々に折り曲げつつ案内して、ハンドレールの両側面に押し付けて貼着せしめる。これにより、ハンドレールの全面が連続シートによって覆われ、疵つき、汚れの付着を効果的に防止することができる。
【００１５】
本発明の第３発明に係る連続シート貼着装置は、前記シート保持ロールと略平行をなす軸回りに回転可能に前記台座に枢支され、前記シート保持ロールから引き出される連続シートの貼着面から剥離された裏紙を巻き取る裏紙巻き取りロールと、前記連続シートの引き出しに応じた前記シート保持ロールの回転を前記裏紙巻き取りロールに伝動する伝動手段とを備えることを特徴とする。
【００１６】
第３発明においては、シート保持ロールと略平行な軸回りに回転する裏紙巻き取りロールを更に備え、連続シートの引き出しに伴って生じるシート保持ロールの回転を伝動手段を介して裏紙巻き取りロールに伝える構成とし、シート保持ロールから引き出される連続シートの貼着面から剥離させた裏紙を裏紙巻き取りロールに巻き掛け、シート保持ロールと共に回転する裏紙巻き取りロールに巻き取って回収する。
【００１７】
本発明の第４発明に係る連続シート貼着装置は、第１〜第３発明における押し付け手段が、前記ハンドレールの天面に転接し、該天面との間に前記連続シートを挾持するローラを備えることを特徴とする。
【００１８】
第４発明においては、シート保持ロールから引き出された連続シートをハンドレールの天面に押し付ける押し付け手段に、前記天面に転接するローラを備え、このローラの回転によりハンドレールとの間に挾持された連続シートを、前記天面に無理なく押し付けて確実に貼着する。
【００１９】
また本発明の第５発明に係る連続シート貼着装置は、第２〜第４発明におけるガイド手段が、前記ハンドレールの両側面に対向配置され、前記両側面に向けて付勢された一対の支持板と、これらの支持板の前記両側面との対向部に、前記ハンドレールの移動方向下流側に向けて該ハンドレールの天面に対する傾倒角度を順次増大させて並設された複数のガイドローラとを備えることを特徴とする。
【００２０】
第５発明においては、ハンドレールの両側面に夫々対向する一対の支持板に、ハンドレールの移動方向に、該ハンドレールの天面に対する傾倒角度を増して並設された複数のガイドローラを備え、これらのガイドローラを前記支持板の付勢によりハンドレールの両側面に押し付けて転動させ、押し付け手段によりハンドレールの天面に貼着された連続シートの両側縁を複数のガイドローラに順次受け渡し、夫々のガイドローラの傾倒角度の増加によって徐々に折り曲げ、各ガイドローラの転動によりハンドレールの側面に無理なく押し付けて確実に貼着する。
【００２１】
更に本発明の第６発明に係る連続シート貼着装置は、第１〜第５発明における連続シートが、表面からの視認可能に形成された文字又は図形パターンを備えることを特徴とする。
【００２２】
第６発明においては、文字又は図形パターンが形成された連続シートを用い、この連続シートが貼着されたハンドレールを、行先表示、広告表示等の各種の表示のために利用する。前記文字又は図形パターンは、連続シートの表面に形成してもよく、透明又は半透明の連続シートを用いた場合には、裏面、即ち、貼着面に形成してもよい。
【００２３】
【発明の実施の形態】
以下本発明をその実施の形態を示す図面に基づいて詳述する。図１は、本発明に係る連続シート貼着装置の概略構成を示す側面図、図２は、図１のＩＩ−ＩＩ線による矢視図である。
【００２４】
図中１は、エスカレータ又は移動歩道の側板、２は、側板１の周縁に巻回保持され、該周縁に沿って移動するハンドレールであり、本発明に係る連続シート貼着装置は、側板１への後述の如き固定により、図示の如く、ハンドレール２の上部を跨ぐように支持された台座３上に、シート保持ロール４、裏紙巻き取りロール５、押し付けローラ（押し付け手段）６及びガイド手段７を備えて構成されている。
【００２５】
ハンドレール２の天面と対向する台座３の下面には、長手方向に離隔した位置に下方に向けて２本の支持アーム３０，３０が突設されており、これらの先端には固定手段としての吸盤３１，３１が取付けてある。
【００２６】
図２には、一方の支持アーム３０及び吸盤３１の構成が示されている。図示の如く支持アーム３０の中途部には、台座３の長手方向に沿う軸回りに屈曲自在な関節３２が設けられており、支持アーム３先端の吸盤３１は、関節３２と平行をなす軸回りに揺動自在に支持された座板３３に内蔵されている。
【００２７】
他方の支持アーム３０及び吸盤３１も同一の構成を備えており、台座３は、関節３２及び座板３３の角度調整によりエスカレータ又は移動歩道の側板１に正対せしめた吸盤３１を前記側板１に押し付けて吸着させ、図１に示す如く、ハンドレール２の天面と略平行をなして対向し、該ハンドレール２の進行方向に長手方向を沿わせて支持されている。なおハンドレール２の進行方向は、図１中に白抜矢符により示してある。
【００２８】
また台座３の下面には、位置調整ローラ３４，３４が、長手方向の両端部近傍に下方に向けて突設されている。図２には、一方の位置調整ローラ３４の構成が２点鎖線により示されている。位置調整ローラ３４は、台座３の下面と直交する軸回りに回転可能なローラであり、図示の如く、台座３の幅方向に位置変更可能な支持ブロック３５に基部を支持させ、幅方向に一対備えられており、これらをハンドレール２の両側面を挾持するように転接させることにより、ハンドレール２に対する台座３の幅方向の位置調整を行い得るようにしてある。
【００２９】
他方の位置調整ローラ３４も同一の構成を備えており、台座３は、長手方向両端部に設けた位置調整ローラ３４，３４の作用により、ハンドレール２の幅方向の中央に、全長に亘って正対するように位置決めされる。
【００３０】
以上の如く固定支持される台座３の上部には、幅方向の一側に沿って上支持板３６が立設されており、シート保持ロール４及び裏紙巻き取りロール５は、この上支持板３６の側面に台座３と略平行に突設された各別の回転軸４０，５０に着脱自在に嵌着支持され、これらと一体回転するようになしてある。
【００３１】
シート保持ロール４には、ハンドレール２に貼着される帯状の連続シート４ａが巻回保持させてあり、該連続シート４ａは、シート保持ロール４の回転に応じて繰り出されるようになしてある。裏紙巻き取りロール５には、予め貼着剤を塗布してなる連続シート４ａの貼着面からシート保持ロール４からの繰り出しに伴って剥離される裏紙５ａがセットされ、該裏紙５ａは、裏紙巻き取りロール５の回転により巻き取られるようになしてある。
【００３２】
図１に示す如く、シート保持ロール４の回転軸４０と裏紙巻き取りロール５の回転軸５０とは、ハンドレール２の移動方向に離隔して配設され、夫々に一体化された歯車４１及び歯車５１を備えており、これらの歯車４１，５１は、両者間に支持された相互に噛合する２つの中間歯車４２，５２に噛合させてある。これにより、回転軸４０に支持されたシート保持ロール４と回転軸５０に支持された裏紙巻き取りロール５とは、前記歯車４１，４２，５２，５１を介しての伝動により同時回転することが可能である。なお図１中には、歯車４１，４２，５２，５１を円板として略示している。
【００３３】
図３は、裏紙巻き取りロール５の回転軸５０に備えられたクラッチ機構の構成を略示する側断面図である。回転軸５０は、上支持板３６側の基端部近傍に円板形のストッパ板５３を備え、また先端部近傍に前記ストッパ板５３に対向する調節板５４を備えており、これらのストッパ板５３と調節板５４との間には、図示の如く、外側に凸の湾曲形状を有する薄肉筒形のクラッチばね５５が介装されている。
【００３４】
調節板５４は、回転軸５０の先端部周面に形成されたねじ部に螺合されており、該ねじ部上での螺進により軸長方向位置を調節可能としてある。この位置調節がストッパ板５３に近付く向けになされた場合、該ストッパ板５３との間に介装されたクラッチばね５５は、周面の湾曲程度を増して外径を増すように変形し、逆に、ストッパ板５３から離れる向きになされた場合、前記クラッチばね５５は、周面の湾曲程度を減じて外径を減じるように変形する。
【００３５】
このような回転軸５０への裏紙巻き取りロール５の取付けは、円筒形をなす裏紙巻き取りロール５をクラッチばね５５に外嵌させつつ押し込み、図中に２点鎖線により示す如く、ストッパ板５３に先端縁を当接させて行われる。このように取付けられた裏紙巻き取りロール５は、内面に弾接するクラッチばね５５のばね力により回転方向に拘束せしめられ、この拘束下にて回転軸５０と共に回転する。このような回転中、前記クラッチばね５５の拘束力を上回る回転トルクが加わった場合、裏紙巻き取りロール５は、クラッチばね５５との間の滑りを伴って空転することができる。
【００３６】
このように、ストッパ板５３、調節板５４及びクラッチばね５５を備えるクラッチ機構は、裏紙巻き取りロール５と回転軸５０との一体回転を、所定の上限トルク下にて解除するトルクリミッタとして作用する。前述した調節板５４の位置調節は、クラッチばね５５の前述した変形により裏紙巻き取りロール５の拘束力を増減させ、前記上限トルクの設定を適宜に変更すべく行われる。
【００３７】
前記台座３の下部には、幅方向の一側縁に沿って前記上支持板３６に連続するように第１の下支持板３７が突設され、また他側縁に沿って第１の下支持板３７に対向する第２の下支持板３８が突設されており、前記押し付けローラ６及びガイド手段７は、これら第１，第２の下支持板３７，３８間に、ハンドレール２の移動方向の前後に並べて配設されている。
【００３８】
図１においては、押し付けローラ６及びガイド手段７を図示すべく、手前側に位置する第２の支持板３８を省略してある。押し付けローラ６は、シート保持ロール４の下方に位置し、前記第１，第２の下支持板３７，３８間に台座３の幅方向に横架された支軸６０により、軸回りでの回転自在に支持されている。
【００３９】
図４は、押し付けローラ６の支持部近傍の横断面図である。押し付けローラ６の支軸６０の両端部は、筒形をなす支持ブロック６１，６２に挿通支持されている。これらの支持ブロック６１，６２は、第１，第２の下支持板３７，３８の対向部位に形成された長孔６３，６４に夫々に挿通され、これらの長孔６３，６４に沿って上下方向に移動可能に案内されており、また第１，第２の下支持板３７，３８の内面に突設されたばね座６５，６６との間に介装された押しばね６７，６８により、下向き（台座３から離れる向き）に付勢されている。
【００４０】
このように構成された押し付けローラ６は、前述の如く取付けられる台座３の下位置において、図４中に２点鎖線により示すエスカレータ又は移動歩道のハンドレール２の天面に対向し、押しばね６７，６８のばね力により前記天面に押し付けられ、この状態でハンドレール２が移動した場合、前記天面との間の摩擦により支軸６０の軸回りに転動する。
【００４１】
なお、この実施の形態においては、押しばね６７，６８のばね力により押し付けローラ６を押圧し、ハンドレール２の天面に押し付ける構成としてあるが、押し付けのための手段を設けず、台座３の取付け時に押し付けローラ６の位置を調整して、ハンドレール２の天面に適宜の押圧力にて押し付ける構成としてもよい。また押し付け手段は、図示の如き押し付けローラ６に限らず、平板状の押し付け板をハンドレール２の天面に押し付けた構成とすることも可能である。
【００４２】
ガイド手段７は、以上の如き押し付けローラ６からハンドレール２の移動方向下流側に適長離れた位置に配設されている。図５は、ガイド手段７の配設部近傍の横断面図であり、ガイド手段７は、前記第１，第２の下支持板３７，３８間に台座３の幅方向に横架された支軸７０により支持された幅方向に一対の支持板７１，７１を備えている。
【００４３】
支持板７１，７１は、図５中に２点鎖線により示すエスカレータ又は移動歩道のハンドレール２の半部外形に対応する湾曲形状を有しており、前述した取付けにより台座３の下面に対向する前記ハンドレール２の両半部に湾曲面の内側を夫々対向させ、外側に突設された支持ブラケット７２，７２を前記支軸７０に挿通して、該支軸７０の軸長方向への移動自在に支持されている。支持ブラケット７２，７２と第１，第２の下支持板３７，３８との間には押しばね７３，７３が介装されており、支持板７１，７１は、支持ブラケット７２，７２を介して加わる押しばね７３，７３のばね力により、互いに接近する向きに付勢されている。
【００４４】
支持板７１，７１の内面には、各複数（図においては５つ）のガイドローラ７ａ〜７ｅが、図１に示す如く、支持板７１の長手方向、即ち、ハンドレール２の移動方向に略等長離隔して並設されている。なお図１においては、ガイドローラ７ａ〜７ｅの長手方向位置を図示するために、正面側の支持板７１を透視して示してある。
【００４５】
図５には、両端部に位置する２つのガイドローラ７ａ，７ｅを支持部と共に実線により示してあり、これらのローラ７ａ，７ｅ、支持板７１内面の該当位置に突設された支持ブラケット７４，７４に、夫々の軸回りに回転自在に枢支されている。これらのガイドローラ７ａ，７ｅの間に位置する３つのガイドローラ７ｂ，７ｃ，７ｄについては、図５中に夫々の位置のみが２点鎖線により示してあり、これらも前記ガイドローラ７ａ，７ｅと同様の支持ブラケット（図示せず）により、夫々の軸回りでの回転自在に枢支されている。
【００４６】
以上の如きガイドローラ７ａ〜７ｅは、ハンドレール２の移動方向最上流側に位置するガイドローラ７ａの回転軸が、ハンドレール２の天面と略平行をなし、最下流側に位置するガイドローラ７ｅの回転軸が、ハンドレール２の同側の側面と平行をすように取付けられ、これらの間の３つのガイドローラ７ｂ，７ｃ，７ｄは、これらのの回転軸が、ガイドローラ７ａとガイドローラ７ｅとの間にて段階的に角度変化し、ハンドレール２の天面に対する傾倒角度がハンドレール２の移動方向下流側に向けて順次増大するように取付けてある。
【００４７】
このように構成されたガイド手段７は、前述の如く取付けられる台座３の下位置において、一対の支持板７１，７１の間にエスカレータ又は移動歩道のハンドレール２を受容し、これらの支持板７１，７１の内面に並設されたガイドローラ７ａ〜７ｅは、支持板７１，７１を介して加わる押しばね７３，７３のばね力によりハンドレール２に押し付けられる。このとき、前述した傾倒角度の設定により、ガイドローラ７ａ〜７ｅの押し付けは、ハンドレール２の移動方向の上流側から下流側に向けて、該ハンドレール２の天面から側面へと段階的に移行するようになされ、これらのガイドローラ７ａ〜７ｅは、ハンドレール２の移動に応じて、夫々の押し付け面との間の摩擦により夫々の軸回りに転動する。
【００４８】
なお、この実施の形態においては、台座３の幅方向に支持板７１，７１を押圧する押しばね７３，７３のばね力により、夫々の支持板７１，７１の内面のガイドローラ７ａ〜７ｅをハンドレール２に押し付ける構成としてあるが、ガイドローラ７ａ〜７ｅの支持部に支軸と略直交する向きに付勢する付勢手段を付設し、これらによりガイドローラ７ａ〜７ｅを各別に押し付ける構成としてもよく、また、押し付けのための手段を設けず、台座３の取付け時に支持板７１，７１の位置を調整して、夫々の内面のガイドローラ７ａ〜７ｅをハンドレール２に当接させる構成としてもよい。更には、ガイドローラ７ａ〜７ｅを設けず、支持板７１，７１の内面をハンドレール２の表面に、移動方向に角度を変えつつ当接させる構成とすることも可能である。
【００４９】
以上の如く構成された本発明に係る連続シート貼着装置は、対象となるエスカレータ又は移動歩道の側板１に前述の如く固定し、連続シート４ａを巻回保持するシート保持ロール４を回転軸４０に、裏紙巻き取りロール５を回転軸５０に夫々取付け、シート保持ロール４から引き出した連続シート４ａの先端を下方に導き、ハンドレール２の天面と押し付けローラ６との間に貼着面を下として挾持させると共に、シート保持ロール４の外周部において連続シート４ａの剥離させた裏紙５ａの先端を裏紙巻き取りロール５の周面に巻き掛け、図示しない係止部に係止した後、エスカレータ又は移動歩道を運転し、図１中に白抜矢符にて示す向きにハンドレール２を移動させて使用される。
【００５０】
このようなハンドレール２の移動により、押し付けローラ６との間に挾持された連続シート４ａは、貼着面を介して押し付けられるハンドレール２の天面に貼着され、該ハンドレールの２の移動に伴って下流側に向けて移動する。この移動力は、押し付け部位に後続する連続シート４ａを介してシート保持ロール４に加えられ、該シート保持ロール４が回転し、連続シート４ａは連続して引き出されつつハンドレール２の天面に貼着される。
【００５１】
この貼着は、ハンドレール２の天面に転接する押し付けローラ６により、連続シート４ａに過大な張力を加えることなく確実になされ、この効果は、前述の如く押しばね６７，６８を設けることにより助長される。
【００５２】
このようなシート保持ロール４の回転は、歯車４１，４２，５２，５１を介して裏紙巻き取りロール５に伝動され、該裏紙巻き取りロール５が回転し、シート保持ロール４から引き出される連続シート４ａの裏紙５ａは、裏紙巻き取りロール５に巻き取られて回収される。ここで、裏紙巻き取りロール５の巻き取り速度は、これの周上での裏紙５ａの巻き取り量の増加に伴って増大するが、巻き取り速度が増大した場合、裏紙巻き取りロール５には、シート保持ロール４との間での裏紙５ａの張力の増加により回転トルクが加わり、この回転トルクの作用により前述したクラッチ機構が動作する。これにより裏紙巻き取りロール５は、回転軸５０に対して滑り回転することとなり、巻き取り速度が略一定化されて裏紙５ａの巻き取りは確実に行われる。
【００５３】
図２に示す如くシート保持ロール４は、ハンドレール２よりも広幅であり、シート保持ロール４に保持された連続シート４ａは、ハンドレール２の天面及び両側面を覆い得る幅を有している。前記押し付けローラ６による連続シート４ａの貼着は、これの中央部をハンドレール２の天面に貼着すべくなされ、連続シート４ａの両端縁は、ハンドレール２の更なる移動により、両側に張り出した状態でガイド手段７に送り込まれる。
【００５４】
ガイド手段７は、ハンドレール２の両側に対向する支持板７１，７１の内面に、前述の如く傾倒角度を変えるガイドローラ７ａ〜７ｅを備えており、ハンドレール２の両側に張り出してガイド手段７に送り込まれる連続シート４ａの両端縁は、前記ガイドローラ７ａ〜７ｅに順次転接し、夫々の傾斜に応じてハンドレール２の天面から両側面に倣うように徐々に折り曲げられ、該ハンドレール２の全面に貼着されることとなる。この貼着は、ハンドレール２の表面に転接するガイドローラ７ａ〜７ｅの作用により、連続シート４ａに過大な張力を加えることなく確実になされ、この効果は、前記押しばね７３，７３による付勢により助長される。
【００５５】
以上の動作によりガイド手段７を通過したハンドレール２には、その全面に連続シート４ａが貼着された状態となり、ハンドレール２の全長に亘る連続シート４ａの貼着は、側板１の周縁に沿ってハンドレール２が一回転する間に完了する。従って、エスカレータ又は移動歩道のハンドレール２に対する連続シート４ａの貼着作業は、側板１への台座３の固定、シート保持ロール４及び裏紙巻き取りロール５の取付け、連続シート４ａ及び裏紙５ａの初期セット等の準備作業に要する時間を加えても短時間にて終了し、また以上の作業に熟練を必要としない。
【００５６】
連続シート４ａは、特許文献１、２として提示した実開昭６１−５９２７４号公報、実開昭６３−１６２７７７号公報に開示されているように、文字又は図形パターンが形成された連続シートとすることができ、これにより連続シート４ａが貼着されたハンドレール２を、行先表示、広告表示等の各種の表示のために利用することが可能となる。前記文字又は図形パターンは、連続シート４ａの表面に形成してもよく、透明又は半透明材料製の連続シート４ａを用いた場合には、表面側からの透視が可能な連続シート４ａの裏面、即ち、貼着面に形成してもよい。
【００５７】
このように各種の表示のためのパターン形成がなされた連続シート４ａを用いる場合であっても、本発明に係る連続シート貼着装置においては、速やかな貼着がなされることから、表示内容の変更のための連続シート４ａの貼り替え要求に柔軟に対応することが可能となる。
【００５８】
なお以上の実施の形態においては、貼着剤を予め塗布してなる貼着面を備え、この貼着面を裏紙５ａにより覆ってある連続シート４ａを用いる構成について述べたが、粘着剤が塗布されていない連続シート４ａを用い、シート保持ロール４からの引き出し後、押し付けローラ６による押し付け位置の前の段階において、連続シート４ａの一面又はハンドレール２の表面に粘着剤を塗布するようにしてもよい。この塗布は、押し付けローラ６に前置した塗布装置により行わせても、また人手により行わせてもよく、この場合、裏紙５ａが存在しないことから、裏紙巻き取りロール５が不要となる。
【００５９】
また以上の実施の形態においては、ハンドレール２の全長に亘って連続シート４ａを貼着するようにしてあるが、本発明に係る連続シート貼着装置は、ハンドレール２の長さ方向の一部を余した貼着、長さ方向に断続する貼着等、適宜の貼着態様に適用し得ることは言うまでもない。
【００６０】
【発明の効果】
以上詳述した如く本発明の第１発明に係る連続シート貼着装置においては、エスカレータ又は移動歩道のハンドレールの表面に帯状の連続シートを貼着する作業を、エスカレータ又は移動歩道の設置現場において、ハンドレールの移動を利用して速やかに、しかも簡易に実現することができる。
【００６１】
また第２発明に係る連続シート貼着装置においては、ハンドレールの天面及び両側面を覆い得る広幅の連続シートを用い、また押し付け手段の下流側にガイド手段を備えた構成により、ハンドレールの略全面を覆う連続シートの貼着が可能となり、該連続シートによる、疵つきの発生、汚れの付着等の不具合を一層効果的に防止することができる。
【００６２】
また第３発明に係る連続シート貼着装置においては、ハンドレールに貼着される連続シートの貼着面から剥離される裏紙を、シート保持ロールからの伝動により回転する裏紙巻き取りロールに巻き取る構成としたから、連続シートの貼着と共に裏紙の回収処理を行わせることができる。
【００６３】
また第４、第５発明に係る連続シート貼着装置においては、ハンドレールの表面への連続シートの押し付けを、これに転接するローラにより行わせたから、連続シートに無理な力を加えることなく確実に貼着させることができる。
【００６４】
更に第６発明に係る連続シート貼着装置においては、文字又は図形パターンが形成された連続シートを用いたから、エスカレータ又は移動歩道のハンドレールを各種の表示のために利用することが可能となり、またこの表示の変更に柔軟に対応することが可能となる等、本発明は優れた効果を奏する。
【図面の簡単な説明】
【図１】本発明に係る連続シート貼着装置の概略構成を示す側面図である。
【図２】図１のＩＩ−ＩＩ線による矢視図である。
【図３】裏紙巻き取りロールの回転軸に備えられるクラッチ機構の構成を略示する側断面図である。
【図４】押し付けローラの支持部近傍の横断面図である。
【図５】ガイド手段の配設部近傍の横断面図である。
【符号の説明】
１　　側板
２　　ハンドレール
３　　台座
４ａ　　連続シート
４　　シート保持ロール
５　　裏紙巻き取りロール
５ａ　　裏紙
６　　押し付けローラ（押し付け手段）
７　　ガイド手段
７ａ〜７ｅ　　ガイドローラ
４１，４２，５１，５２　　歯車（伝動手段）
７１　　支持板
【図１】
2004123269.tif 000003
【図２】
2004123269.tif 000004
【図３】
2004123269.tif 000005
【図４】
2004123269.tif 000006
【図５】
2004123269.tif 000007